(57)【要約】【課題】使用者が暖房空間内を覗き電気ヒータの状態を確認しなくとも人体センサーによる使用者の無し検出による電気ヒータへの通電停止を確認でき、使用者の誤った判断を回避でき、使用勝手の優れた電気こたつを提供すること。【解決手段】電気こたつ１の暖房空間Ａ内で使用者の有無を検出するための人体センサー１３を配置し、人体センサー１３の赤外線センサー１３ｄは暖房空間Ａ内での人体が発する赤外線を検出することで使用者の有無を検出する。そして、赤外線入射量が連続して所定時間変化しない場合には使用者が不在であると判断して、負荷側の電気ヒータ５及び送風機４等への通電を遮断して暖房を停止する。また、コントローラ１７の通電状態表示ランプ１７ｄに電流が流れなくなり、通電状態表示ランプ１７ｄが消灯する。【選択図】  図６
2004347253.tif 000002
【特許請求の範囲】
【請求項１】
電気ヒータを備えた本体型枠を複数の支持脚により床面上に支持して暖房空間を形成し、前記暖房空間の外に設けられ前記電気ヒータへの電源の供給を制御する運転スイッチを備えたコントローラと、前記暖房空間内で使用者の有無を検出するもので前記運転スイッチの閉成時に使用者の無しを検出すると前記電気ヒータへの通電を停止する人体センサーとを設けた電気こたつにおいて、前記電気ヒータへの通電時に点灯し、前記電気ヒータの非通電時に消灯する表示灯を前記コントローラに設けたことを特徴とする電気こたつ。
【請求項２】
電気ヒータを備えた本体型枠を複数の支持脚により床面上に支持して暖房空間を形成し、前記暖房空間の外に設けられ前記電気ヒータへの電源の供給を制御する運転スイッチを備えたコントローラと、前記暖房空間内で使用者の有無を検出するもので前記運転スイッチの閉成時に使用者の無しを検出すると前記電気ヒータへの通電を停止する人体センサーとを設けた電気こたつにおいて、前記コントローラに設けられた表示灯と、前記人体センサーによる使用者の有りの検出に基づく前記電気ヒータへの通電時に前記表示灯を点灯させ、前記人体センサーによる使用者の無しの検出に基づく前記電気ヒータの非通電時に前記表示灯を消灯させる制御回路とを設けたことを特徴とする電気こたつ。
【請求項３】
電気ヒータを備えた本体型枠を複数の支持脚により床面上に支持して暖房空間を形成し、前記暖房空間の外に設けられ前記電気ヒータへの電源の供給を制御する運転スイッチを備えたコントローラと、前記暖房空間内で使用者の有無を検出するもので前記運転スイッチの閉成時に使用者の無しを検出すると前記電気ヒータへの通電を停止する人体センサーとを設けた電気こたつにおいて、前記電気ヒータに接続された電源線と、この電源線に接続され前記電気ヒータへの通電を制御する交流制御用素子と、前記電源線と並列に接続され温度調節ボリューム及び感熱抵抗素子が接続された信号線と、前記電源線に接続され前記コントローラに設けられた表示灯及びこの表示灯の通電を制御するサイリスタと、前記温度調節ボリュームと前記サイリスタのゲートとを接続するゲート信号線とを備え、前記人体センサーによる使用者の無しの検出に基づく前記電気ヒータの非通電時には前記温度調節ボリューム、前記感熱抵抗素子、前記交流制御用素子のゲート、前記電気ヒータにより構成されたゲート信号回路の電圧供給停止により前記温度調節ボリュームの電圧降下が停止して前記サイリスタの非導通により表示灯を消灯させ、前記人体センサーによる使用者の有りの検出に基づく前記電気ヒータへの通電時には前記ゲート信号回路の電圧供給により前記温度調節ボリュームの電圧降下が発生して前記サイリスタの導通により前記表示灯を点灯させることを特徴とする電気こたつ。
【発明の詳細な説明】
【０００１】
【発明の属する技術分野】
本発明は、冬季に電気ヒータの発熱を利用して暖をとる電気こたつに関するものである。詳述すれば、使用者の有無を検出して電気ヒータの発熱を制御する電気こたつに関するものである。
【０００２】
【従来の技術】
従来のこの種電気こたつは、矩形の本体型枠に発熱する電気ヒータを備え、この本体型枠の４隅に支持脚を設けて床面上に支持した状態で、その外周を布団で覆うことにより暖房空間を形成している。
【０００３】
そして、赤外線センサーにより使用者の有無を検出して、使用者が不在時には電気ヒータの通電を停止するものが特開平７−１９８１４９号公報に開示されている。
【０００４】
【特許文献】
特開平７−１９８１４９号公報
【０００５】
【発明が解決しようとする課題】
しかしながら、前記公報には赤外線センサーの使用方法や使用時の表示が示されていなかった。そこで、赤外線センサー（人体センサー）をこたつの、例えば本体型枠に設け、暖房空間内における使用者の有無を赤外線センサーで検出し、使用者の不使用時には電気ヒータへの通電を停止して無駄な電力消費を抑えることが考えられる。このような赤外線センサーの使用者無しの検出による電気ヒータへの通電停止制御においては、赤外線センサーによる使用者無しの検出が、所定時間継続した場合に自動的に電気ヒータへの通電を停止するが、電気ヒータへの通電が本当に停止しているかどうか使用者が確認するために、すなわち電気ヒータの状態を見るために暖房空間内を覗いたときには、赤外線センサーがその覗いた人を検出し、電気ヒータは直ちに通電状態（赤色の発光状態）になり、使用者は赤外線センサーの使用者無しの検出による電気ヒータへの通電停止の制御が動作していないのではないか、すなわち故障しているかもしれないといった誤った判断をするという不具合があった。
【０００６】
そこで本発明は、上記の点に鑑み、使用者が暖房空間内を覗き電気ヒータの状態を確認しなくとも人体センサーによる使用者の無し検出による電気ヒータへの通電停止を確認でき、使用者の誤った判断を回避でき、使用勝手の優れた電気こたつを提供することを目的とする。
【０００７】
【課題を解決するための手段】
このため第１の発明は、電気ヒータを備えた本体型枠を複数の支持脚により床面上に支持して暖房空間を形成し、前記暖房空間の外に設けられ前記電気ヒータへの電源の供給を制御する運転スイッチを備えたコントローラと、前記暖房空間内で使用者の有無を検出するもので前記運転スイッチの閉成時に使用者の無しを検出すると前記電気ヒータへの通電を停止する人体センサーとを設けた電気こたつにおいて、前記電気ヒータへの通電時に点灯し、前記電気ヒータの非通電時に消灯する表示灯を前記コントローラに設けたことを特徴とする。
【０００８】
また第２の発明は、電気ヒータを備えた本体型枠を複数の支持脚により床面上に支持して暖房空間を形成し、前記暖房空間の外に設けられ前記電気ヒータへの電源の供給を制御する運転スイッチを備えたコントローラと、前記暖房空間内で使用者の有無を検出するもので前記運転スイッチの閉成時に使用者の無しを検出すると前記電気ヒータへの通電を停止する人体センサーとを設けた電気こたつにおいて、前記コントローラに設けられた表示灯と、前記人体センサーによる使用者の有りの検出に基づく前記電気ヒータへの通電時に前記表示灯を点灯させ、前記人体センサーによる使用者の無しの検出に基づく前記電気ヒータの非通電時に前記表示灯を消灯させる制御回路とを設けたことを特徴とする。
【０００９】
第３の発明は、電気ヒータを備えた本体型枠を複数の支持脚により床面上に支持して暖房空間を形成し、前記暖房空間の外に設けられ前記電気ヒータへの電源の供給を制御する運転スイッチを備えたコントローラと、前記暖房空間内で使用者の有無を検出するもので前記運転スイッチの閉成時に使用者の無しを検出すると前記電気ヒータへの通電を停止する人体センサーとを設けた電気こたつにおいて、前記電気ヒータに接続された電源線と、この電源線に接続され前記電気ヒータへの通電を制御する交流制御用素子と、前記電源線と並列に接続され温度調節ボリューム及び感熱抵抗素子が接続された信号線と、前記電源線に接続され前記コントローラに設けられた表示灯及びこの表示灯の通電を制御するサイリスタと、前記温度調節ボリュームと前記サイリスタのゲートとを接続するゲート信号線とを備え、前記人体センサーによる使用者の無しの検出に基づく前記電気ヒータの非通電時には前記温度調節ボリューム、前記感熱抵抗素子、前記交流制御用素子のゲート、前記電気ヒータにより構成されたゲート信号回路の電圧供給停止により前記温度調節ボリュームの電圧降下が停止して前記サイリスタの非導通により表示灯を消灯させ、前記人体センサーによる使用者の有りの検出に基づく前記電気ヒータへの通電時には前記ゲート信号回路の電圧供給により前記温度調節ボリュームの電圧降下が発生して前記サイリスタの導通により前記表示灯を点灯させることを特徴とする。
【００１０】
【発明の実施の形態】
以下図１乃至図６に基づき、本発明の実施の形態について説明する。先ず、図１において、１は電気カーペットなどの略中央に載置される電気こたつで、矩形をなす本体型枠２内に設けた天板３の略中央下部に下方から吸込んだ空気を放射状に水平方向に送風する送風機４及び例えば石英管の中に通電により赤熱するタングステン線ヒータを内蔵しハロゲン化合物、不活性ガスを封入した電気ヒータ５を備えている。
【００１１】
前記本体型枠２をこの４隅に配した支持脚６ａ、６ｂ、６ｃ、６ｄにより床面上に支持することで暖房空間Ａを形成している。また、この本体型枠２の上部には支持脚６ａ、６ｂ、６ｃ、６ｄの外側を覆うこたつ布団７を介して卓板８を載置している。
【００１２】
そして、電気こたつ１の暖房空間Ａ内に足や身体を入れたときに前記電気ヒータ５に直接触れて火傷などが起こるのを防止する網目状の保護カバー９が設けられ、この保護カバー９内に設けたヒータユニットＨの後述する、例えば正特性サーミスタである感熱抵抗素子（温度が上昇すると抵抗値増加）１１の抵抗と後述する手元コントローラ１７に設けた温度調節ボリューム（可変抵抗器）１７ｃで設定された抵抗の合成抵抗により前記電気ヒータ５への電力供給量を制御し温度調節がなされる。また、１２は安全保護のための温度ヒューズで、保護カバー９内の空間Ａが異常過熱温度の状態になった場合に作動して電気ヒータ５や送風機４への通電を遮断する。
【００１３】
次に図２及び図５に基づき、人体（使用者）を検出するための人体センサー１３の取付方法とその動作について詳述する。この人体センサー１３は、１つの支持脚６ａの内方である暖房空間Ａ側に設けたセンサー取付け用のアングル１４に着脱自在に固定され、その焦電型赤外線センサー１３ｄが暖房空間Ａの対角線上にある支持脚６ｂに向けて対向する位置に配置している。
【００１４】
前述の人体センサー１３は、合成樹脂製の縦長の前ケース１３ａと後ケース１３ｂにて箱状を成すよう形成し、上部左右に後述する電源線１９の配線を行う配線孔１３ｇを設けると共に後ケース１３ｂの背面側には２箇所の爪部１３ｃを設けてアングル１４に着脱自在に固定できるようにしている。さらに、人体センサー１３の下部には人体（使用者）を検出するためのセンサーとしての赤外線センサー１３ｄを内蔵しており、その検出部を前ケース１３ａから外部に露出させることで暖房空間Ａ内における使用者の有無を検出するようにしている。また、人体センサー１３の中央部には、この人体センサー１３の運転、停止を選択して切換えるための人体センサー運転スイッチ１３ｅと、その上部にはコントローラ１７から電源が供給され、かつ人体センサー運転スイッチ１３ｅが入っているとき（人体センサー１３の運転中）に点灯するＬＥＤ（ライト  エミッティング  ダイオード）から成る人体センサー運転ランプ１３ｆを設けている。
【００１５】
前記アングル１４は、ステンレス等の金属製で側方視クランク形状をしており、その上部には支持脚６ａを固定するためのボルト１５を貫通させる貫通孔１４ａを開設した固定部１４ｂを形成している。そして、ボルト１５によりアングル１４の貫通孔１４ａと、本体型枠２を構成している各々の横桟２ａの内側コーナ部分を固定する固定金具２ｂに開設した取付孔２ｃを介して支持脚６ａと共締めすることでアングル１４を支持脚６ａ内方の暖房空間Ａ側に吊持固定している。また、アングル１４の下部には人体センサー１３を着脱自在に固定するための矩形状の取付孔１４ｄを開設した取付部１４ｃを形成し、この取付孔１４ｄに後ケース１３ｂの爪部１３ｃを挿入し下方に移動して係合させることで人体センサー１３をアングル１４に着脱自在に固定している。
【００１６】
１９は電源を電気ヒータ５に供給する電源線で、一端を負荷としての電気ヒータ５及び送風機４やマイナスイオン発生器１８を備えたヒータユニットＨと接続する負荷側プラグ１９ａに接続すると共にその途中に人体センサー１３及びコントローラ１７を介して他端をＡＣ１００Ｖの商用電源２１の電源コンセント２０に接続するための電源プラグ１９ｂに接続している。
【００１７】
前記マイナスイオン発生器１８は、電気ヒータ５及び送風機４のファンモータ４ａに電源を供給する電源線１９に接続しており、この発生器１８の本体にはマイナスイオンを発生させるか否かだけを選択するスイッチ１８ａを設けており、使用する場合には閉成（オン）しておく。また、このマイナスイオン発生器１８は電気式であり高電圧が印加された針電極（金属）から電子が周囲の空中に放出され、その電子が空気中の中性分子に付着してマイナスイオンを生成するものである。
【００１８】
前記コントローラ１７は、電気こたつ１の運転、停止を選択して切換るための運転スイッチ１７ａと、その上部には運転状態を表示するＬＥＤから成る運転ランプ１７ｂを設けており、運転スイッチ１７ａを閉成することで運転ランプ１７ｂ、電気ヒータ５及び送風機４のファンモータ４ａ、マイナスイオン発生器１８、人体センサー１３に電源が供給されるように構成している。
【００１９】
次に、図６に基づき、電気こたつ１の電気回路について詳述する。電源線１９にはコントローラ１７、人体センサー１３及びヒータユニットＨが接続され、コントローラ１７では、電源線１９に上述した運転スイッチ１７ａ、運転ランプ１７ｂの他に電気ヒータの通電状態表示ランプ（以下通電表示ランプという）１７ｄ、抵抗１７ｅ及びシリコン制御整流器（ＳＣＲ）であるサイリスタ１７ｆが接続されている。前記通電状態表示ランプ１７ｄは、ＬＥＤから成り、運転スイッチ１７ａの閉成時に人体センサー１３による人体有無の検出による電気ヒータ５への通電又は非通電と連動して通電又は非通電となり点灯、消灯が切り換る。また、コントローラ１７と後述するヒータユニットＨとの間に接続された信号線２２に抵抗１７ｇ及び温度調節ボリューム１７ｃが直列接続されている。さらに、温度調節ボリューム１７ｃは抵抗１７ｈ及びダイオード１７ｉを介してサイリスタ１７ｆのゲート端子に接続されている。
【００２０】
また、人体センサー１３では電源線１９にＡＣ／ＤＣコンバータ１３ｋが接続され、このＡＣ／ＤＣコンバータ１３ｋにはＡＣ／ＤＣコンバータ１３ｋから電力が供給される制御器１３ｈが接続され、さらに制御器１３ｈには赤外線センサー１３ｄ、人体センサー運転スイッチ１３ｅ、人体センサー運転ランプ１３ｆ及びリレー１３ｉが接続されている。
【００２１】
前記制御器１３ｈは図示しないタイマ、制御素子及び記憶素子などから構成され、人体センサー運転スイッチ１３ｅの閉成（ＯＮ）、開成（ＯＦＦ）に基づいて人体センサー運転ランプ１３ｆへの通電、非通電を制御し、また、赤外線センサー１３ｄによる人体の有無検出に基づいてリレー１３ｉの通電、非通電を制御する。
【００２２】
前記赤外線センサー１３ｄは、例えば波長９．０μｍの赤外線焦電型のものである。また、電源線１９にリレー１３ｉのスイッチ（以下リレースイッチという）１３ｊが接続されている。そして、少なくとも一人の使用者が電気こたつ１の中に入ったことを赤外線センサー１３ｄが検出すると、制御器１３ｈはリレー１３ｉを励磁させ、リレースイッチ１３ｊが閉成する。また、使用者全員が電気こたつから出て使用者が電気こたつ１の中に一人も入ってないことを赤外線センサー１３ｄが検出すると、制御器１３ｈのタイマがカウントを開始し、所定時間、例えば３０分間継続して人を検出しない場合には、制御器１３ｈが動作し、リレー１３ｉを消磁させ、リレースイッチ１３ｊが開成する。
【００２３】
また、ヒータユニットＨでは、電源線１９に温度ヒューズ１２、マイナスイオン発生器１８及びそのスイッチ１８ａ、送風機４のファンモータ４ａ、電気ヒータ５、急激な電流変化を防止し伝導ノイズを抑制するコイル１８ｂ及び双方向性の交流制御用素子であるトライアック１８ｃが接続されている。また、信号線２２にヒータユニット過熱防止用であり温度上昇に伴って抵抗値が増加する正特性のサーミスタである感熱抵抗素子１１及びコンデンサ１８ｄが接続されている。そして、コンデンサ１８ｄは双方向性のトリガー素子であるダイアック１８ｅを介してトライアック１８ｃのゲートに接続されている。
【００２４】
次に、上述する構成による電気こたつ１の動作について説明する。先ず、商用電源２１の電源コンセント２０に電源プラグ１９ｂが接続している状態において、コントローラ１７の運転スイッチ１７ａを閉成すると、運転ランプ１７ｂに通電され運転ランプ１７ｂが発光すると共に人体センサー１３及びヒータユニットＨのマイナスイオン発生器１８、電気ヒータ５、送風機４のファンモータ４ａに電源が供給される。そして、感熱抵抗素子１１の感知温度と温度調節ボリューム１７ｃの設定によってトライアック１８ｃのゲートへの制御信号が変化し、トライアック１８ｃの導通制御によって電気ヒータ５への電力供給量が制御されることで電気こたつ１内の温度がほぼ一定に保たれる。また、送風機４により電気ヒータ５により暖められた暖気とマイナスイオン発生器１８（スイッチ１８ａが閉成されている状態）により発生するマイナスイオンが電気こたつ１内の暖房空間Ａ内を循環する。
【００２５】
更に詳述すると、人体センサー運転スイッチ１３ｅが閉成されている状態で、前述の如く、運転スイッチ１７ａの閉成により人体センサー１３に電源が供給されると、人体センサー運転ランプ１３ｆが点灯すると共に赤外線センサー１３ｄは暖房空間Ａ内での人体が発する赤外線を検出することで、この空間Ａ内での使用者の有無検出を開始する。そして、赤外線センサー１３ｄが使用者の存在を検出すると、制御器１３ｈはリレー１３ｉを励磁させてリレースイッチ１３ｊを閉成させ、抵抗１７ｇ、温度調節ボリューム１７ｃ、感熱抵抗素子１１、コンデンサ１８ｄ、ダイアック１８ｅ、トライアック１８ｃのゲート、電気ヒータ５及びリレースイッチ１３ｊにて構成されたゲート信号回路に電圧が供給される。このため、コンデンサ１８ｄは、抵抗１７ｇ、温度調節ボリューム１７ｃ、感熱抵抗素子１１で合成された直列抵抗により充電され、コンデンサ１８ｄの両端電圧が前記直列抵抗とコンデンサ１８ｄの定数で定められた速度で上昇する。この上昇によりコンデンサ１８ｄの両端電圧がダイアック１８ｅのトリガー電圧をオーバーすると、コンデンサ１８ｄがダイアック１８ｅ、トライアック１８ｃのゲートを通して急放電し、トライアック１８ｃが導通して、電気ヒータ５が通電開始する。この電気ヒータ５の通電開始時間は、温度調節ボリューム１７ｃの抵抗値とコンデンサ１８ｄの定数で定められた時定数（ＣＲ値）で決まり、電気ヒータ５の消費電力が温度調節ボリューム１７ｃにより通電制御されるものである。
【００２６】
そして、赤外線センサー１３ｄの赤外線入射量が連続して所定時間（例えば３０分間）変化しない時には使用者が不在であると制御器１３ｈが判断して、リレー１３ｉを消磁させる。このため、リレースイッチ１３ｊが開成し、上記の電気ヒータ５への電力供給量制御とは関係なく、負荷側のマイナスイオン発生器１８及び電気ヒータ５、送風機４のファンモータ４ａへの通電を遮断して停止させる。また、抵抗１７ｇ、温度調節ボリューム１７ｃ、感熱抵抗素子１１、コンデンサ１８ｄ、ダイアック１８ｅ、トライアック１８ｃのゲート、電気ヒータ５及びリレースイッチ１３ｊにて構成されたゲート信号回路に電圧が供給されなくなり、抵抗１７ｇ及び温度調節ボリューム１７ｃ両端の電圧降下が発生しなくなる。このため、サイリスタ１７ｆのゲートとカソード間に電圧が印加されなくなり、サイリスタ１７ｆのアノードとカソードとが導通しなくなり、通電状態表示ランプ１７ｄに電流が流れなくなり、通電状態表示ランプ１７ｄが消灯する。
【００２７】
この結果、使用者は、暖房空間Ａ内を覗いて電気ヒータ５を直接確認しなくともコントローラ１７の通電状態表示ランプ１７ｄの消灯を確認することによって、電気ヒータ５の通電停止を知ることができ、また人体センサー１３による電気ヒータ５への通電制御が行われていないのではないかというような使用者の誤った判断を回避することができる。
【００２８】
その後、人体センサー１３による負荷側への通電停止中に使用者が暖房空間Ａ内に足を入れ、赤外線センサー１３ｄがこれを検出すると、使用者がいると制御器１３ｈが判断して、リレー１３ｉを励磁させる。このため、リレースイッチ１３ｊが閉成し、再び負荷側のマイナスイオン発生器１８及び電気ヒータ５、送風機４のファンモータ４ａへ通電して暖房を行う。また、上記の使用者が電気こたつ１に入っていないときとは反対に、抵抗１７ｇ、温度調節ボリューム１７ｃ、感熱抵抗素子１１、コンデンサ１８ｄ、ダイアック１８ｅ、トライアック１８ｃのゲート、電気ヒータ５及びリレースイッチ１３ｊにて構成されたゲート信号回路に電圧が供給され、抵抗１７ｇ及び温度調節ボリューム１７ｃ両端の電圧降下が発生する。このため、サイリスタ１７ｆのゲートとカソード間に電圧が印加され、サイリスタ１７ｆのアノードとカソードとが導通し、通電状態表示ランプ１７ｄに電流が流れ、通電状態表示ランプ１７ｄが点灯する。
【００２９】
この結果、使用者は、暖房空間Ａ内を覗いて電気ヒータ５を直接確認しなくともコントローラ１７の通電状態表示ランプ１７ｄの点灯を確認することによって、電気ヒータ５の通電を知ることができる。
【００３０】
このように、使用者の有無を検出して上述の動作を繰り返すことで、使用者がコントローラ１７の運転スイッチ１７ａを切り忘れても、自動的に負荷側への通電を遮断するように構成している。
【００３１】
また、電源の初期通電時、例えばコントローラ１７の運転スイッチ１７ａを入れただけで、誰も電気こたつ１内の暖房空間Ａ内で暖を取らなかった場合においては、使用者不在を検出する所定時間である３０分後に負荷側のマイナスイオン発生器１８及び電気ヒータ５、送風機４のファンモータ４ａへの通電を遮断して停止すると共に、コントローラ１７の通電状態表示ランプ１７ｄが消灯し、使用者に電気ヒータ５などの負荷側への通電停止を知らせるものである。
【００３２】
さらに、人体センサー１３が使用者の不在を判定した時には負荷側の電気ヒータ５のみへの通電を停止させるように構成しても良い。
【００３３】
また、前記赤外線センサー１３ｄにより使用者が不在であることを検出する所定時間を、使用者が任意に選択設定できるようにする選択スイッチを人体センサー１３本体に設けても良い。
【００３４】
以上のように、コントローラ１７の運転スイッチ１７ａを入れただけで、誰も電気こたつ１に入っていなく、暖房空間Ａ内で暖を取らなかった場合においては、人体センサー１３が動作して使用者不在を検出する所定時間である３０分後に負荷側のマイナスイオン発生器１８及び電気ヒータ５、送風機４のファンモータ４ａへの通電を遮断して停止すると共に、コントローラ１７の通電状態表示ランプ１７ｄが消灯するので、使用者は、暖房空間Ａ内を覗いて電気ヒータ５を直接確認しなくともコントローラ１７の通電状態表示ランプ１７ｄの消灯を確認することによって、人体センサー１３が使用者を検出していない、即ち電気こたつ１に使用者が入っていないことによる電気ヒータ５の通電停止を手元で知ることができ、また、人体センサー１３による電気ヒータ５への通電制御が行われていないのではないかというような使用者の誤った判断を回避することができる。
【００３５】
また、電気ヒータ５への通電を制御する上記ゲート信号回路を通電状態表示ランプ１７ｄの点灯、消灯の制御に兼用しているので、信号線を増やすことなく通電状態表示ランプ１７ｄの点灯、消灯の制御することができ、また電気ヒータ５への通電常態を通電電流の検出によって検出する場合のように電流センサーを接続する必要がなくなり、この結果、電気ヒータ５への印加電圧の減少を回避することができる。
【００３６】
また、前記人体センサー１３に運転又は停止を切換えるための人体センサー運転スイッチ１３ｅを設けたことで、この機能動作を容易に選択することができ、例えば人体センサー１３の故障時には停止を選択することで人体センサー１３の機能を使用しない状態で使用することができる。
【００３７】
尚、本実施形態では、前記人体センサー１３に運転又は停止を切換えるための人体センサー運転スイッチ１３ｅ及び運転ランプ１３ｆを設けたが、この人体センサー運転スイッチ１３ｅ及び運転ランプ１３ｆを前記コントローラ１７に設けてもよい。これにより、使用者は手元で操作及び運転の確認ができることとなる。
【００３８】
さらに、使用者の不在を所定時間検出することで電気ヒータ５等への通電を停止するが、その後、使用者を検出した時点で電気ヒータ５等の負荷側への通電を再開すると共に通電状態表示ランプ１７ｄの点灯するように構成したので、使用者が再使用時に運転スイッチ１７ａを入れなくても電気こたつ１の暖房空間Ａ内に足部を入れるだけで電気ヒータ５等の負荷側へ再通電して自動的に暖房を行い、使用者は、暖房空間Ａ内を覗いて電気ヒータ５を直接確認しなくともコントローラ１７の通電状態表示ランプ１７ｄの点灯を確認することによって、電気ヒータ５の通電を知ることができるので、非常に便利である。
【００３９】
以上本発明の実施形態について説明したが、上述の説明に基づいて当業者にとって種々の代替例、修正又は変形が可能であり、本発明はその趣旨を逸脱しない範囲で前述の代替例、修正又は変形を包含するものである。
【００４０】
【発明の効果】
以上説明したように本発明によれば、暖房空間内における使用者の有無を人体センサーで検出し、使用者の不使用時には電気ヒータへの通電を停止し、この通電停止状態をコントローラの表示灯によって使用者に知らせることができ、無駄な電力消費を抑え、安全性の高く、かつ使用者の誤った判断を回避することができる使い勝手が良い電気こたつを提供することができる。
【図面の簡単な説明】
【図１】電気こたつの縦断面図である。
【図２】電気こたつを下方から観た平面図である。
【図３】人体センサーを電気こたつに取付けた正面図である。
【図４】アングルを電気こたつに取付けた図である。
【図５】人体センサーを電気こたつに取付けた側面図である。
【図６】電気こたつの電気回路図である。
【符号の説明】
１                      電気こたつ
４                      送風機
４ａ                    ファンモータ
５                      電気ヒータ
６ａ、６ｂ、６ｃ、６ｄ  支持脚
１３                    人体センサー
１３ｄ                  赤外線センサー
１３ｅ                  人体センサー運転スイッチ
１３ｆ                  人体センサー運転ランプ
１７ａ                  運転スイッチ
１７ｄ                  通電状態表示ランプ（表示灯）
１９                    電源線
２２                    信号線
【図１】
2004347253.tif 000003
【図２】
2004347253.tif 000004
【図３】
2004347253.tif 000005
【図４】
2004347253.tif 000006
【図５】
2004347253.tif 000007
【図６】
2004347253.tif 000008